(57)【特許請求の範囲】
【請求項１】
連続帳票から単位帳票を順次切断するための切断部と、
前記切断部で切断された所定枚数の単位帳票を切断の順序にしたがって順次積み重ねるためのスタッカー部と、
前記スタッカー部で積み重ねられる所定枚数の単位帳票の表面側を保護するための保護部材を前記スタッカー部へ供給する供給部とを備え、
前記保護部材は、前記単位帳票とほぼ同じ大きさを有し且つ前記単位帳票よりも実質的に剛性の高い板状部材を備え、
前記供給部は、前記スタッカー部で積み重ねられる所定枚数の単位帳票の最も下側の表面を保護するための第１の板状部材を前記単位帳票の積み重ねに先立って供給し、且つ前記スタッカー部で積み重ねられた所定枚数の単位帳票の最も上側の裏面を保護するための第２の板状部材を前記単位帳票の積み重ねの後に供給することを特徴とする処理装置。
【請求項２】
前記スタッカー部は、前記切断部で切断された単位帳票をその表面が下向きになるように順次積み重ね、
前記供給部は、前記スタッカー部で積み重ねられる所定枚数の単位帳票の最も下側の表面を保護するための保護部材を前記単位帳票の積み重ねに先立って前記スタッカー部の積み重ね位置へ供給することを特徴とする請求項１に記載の処理装置。
【請求項３】
前記板状部材は、厚紙またはダンボール紙であることを特徴とする請求項１または２に記載の処理装置。
【請求項４】
前記スタッカー部は、前記所定枚数の単位帳票の積み重ね動作を交互に行うように構成された一対のスタッカーを備えていることを特徴とする請求項１乃至３のいずれか１項に記載の処理装置。
【請求項５】
各スタッカーは、前記保護部材および前記所定枚数の単位帳票を載置するためのテーブルと、該テーブルを載置位置と搬出位置との間で昇降させるための昇降部と、搬出位置へ向かう前記テーブルから前記保護部材および前記所定枚数の単位帳票を受け取って前記スタッカー部から搬送するための搬送部とを有することを特徴とする請求項４に記載の処理装置。
【請求項６】
前記保護部材が最も上側になるように前記スタッカー部で積み重ねられた前記保護部材と前記所定枚数の単位帳票とを一体的に反転させるための反転部をさらに備えていることを特徴とする請求項２乃至５のいずれか１項に記載の処理装置。
【請求項７】
前記反転部は、前記スタッカー部で積み重ねられた所定枚数の単位帳票および前記保護部材を上下から挟むように受け入れるためのアーム部と、該アーム部を所定の回転軸線を中心として双方向にほぼ１８０°回転させるための回転部とを備えていることを特徴とする請求項６に記載の処理装置。
【請求項８】
連続帳票から単位帳票を順次切断する切断工程と、
前記切断工程で切断された所定枚数の単位帳票を切断の順序にしたがってその表面が下向きになるように順次積み重ねるスタック工程と、
前記スタック工程で積み重ねられる所定枚数の単位帳票の最も下側の表面を保護するための保護部材を、前記単位帳票の積み重ねに先立ってその積み重ね位置へ供給する供給工程と、
前記保護部材が最も上側になるように前記スタック工程で積み重ねられた前記保護部材と前記所定枚数の単位帳票とを一体的に反転させる反転工程とを含むことを特徴とする処理方法。
【発明の詳細な説明】
【０００１】
【発明の属する技術分野】
本発明は、連続帳票の処理装置および処理方法に関し、特に連続帳票から切断された所定枚数の単位帳票を積み重ねた帳票束を順次形成する装置および方法に関するものである。
【０００２】
【従来の技術】
従来、連続帳票から単位帳票を順次切断し、切断した単位帳票を切断の順序にしたがって積み重ね、所定枚数の単位帳票からなる帳票の束を順次形成する処理装置が知られている。この場合、典型的な処理装置では、各帳票束の形成に際して、各単位帳票の表面が下向きになるように切断の順序にしたがって順次積み重ねられる。
【０００３】
したがって、順次形成された帳票束において、最も下側の面は先頭の単位帳票の表面になる。形成された帳票束は、たとえば搬出コンベアの作用により処理装置から搬出される。そして、処理装置から搬出された帳票束は、必要に応じて他の装置へ搬送され、そこで別の処理を受けることになる。なお、各単位帳票は、比較的薄い紙から形成されていることが多い。また、各単位帳票の表面の隅部近傍には、バーコードなどが印画されていることが多い。
【０００４】
【発明が解決しようとする課題】
上述のように、従来の処理装置では、各単位帳票が比較的薄い紙から形成されているため、搬出コンベアを介して処理装置から搬出される際に、帳票束の最も下側の面が損傷を受け易く且つその角が折れ曲がり易い。また、処理装置から搬出された帳票束が他の装置へ搬送される際にも、帳票束の最も下側の面が損傷を受け易く且つその角が折れ曲がり易い。
【０００５】
この場合、上述したように、各帳票束の最も下側の面は先頭の単位帳票の表面であり、その表面が損傷を受け易く、その隅部近傍に印画されたバーコード部分が折れ曲げられ易いという不都合があった。なお、帳票束の最も下側面の角が折れ曲がらないように搬送コンベアなどを調整することは、極めて困難な作業であり、且つ時間のかかる作業である。
【０００６】
本発明は、前述の課題に鑑みてなされたものであり、連続帳票から順次切断した単位帳票を積み重ねることによって形成される帳票束の所定面が損傷を受けないような形態で各帳票束を形成して搬出することのできる、連続帳票の処理装置および処理方法を提供することを目的とする。
【０００７】
【課題を解決するための手段】
前記課題を解決するために、本発明では、連続帳票から単位帳票を順次切断するための切断部と、
前記切断部で切断された所定枚数の単位帳票を切断の順序にしたがって順次積み重ねるためのスタッカー部と、
前記スタッカー部で積み重ねられる所定枚数の単位帳票の表面側を保護するための保護部材を前記スタッカー部へ供給する供給部とを備え、
前記保護部材は、前記単位帳票とほぼ同じ大きさを有し且つ前記単位帳票よりも実質的に剛性の高い板状部材を備え、
前記供給部は、前記スタッカー部で積み重ねられる所定枚数の単位帳票の最も下側の表面を保護するための第１の板状部材を前記単位帳票の積み重ねに先立って供給し、且つ前記スタッカー部で積み重ねられた所定枚数の単位帳票の最も上側の裏面を保護するための第２の板状部材を前記単位帳票の積み重ねの後に供給することを特徴とする処理装置を提供する。
【０００８】
本発明の好ましい態様によれば、前記スタッカー部は、前記切断部で切断された単位帳票をその表面が下向きになるように順次積み重ね、前記供給部は、前記スタッカー部で積み重ねられる所定枚数の単位帳票の最も下側の表面を保護するための保護部材を前記単位帳票の積み重ねに先立って前記スタッカー部の積み重ね位置へ供給する。また、前記板状部材は、厚紙またはダンボール紙であることが好ましい。
【００１０】
さらに、本発明の好ましい態様によれば、前記スタッカー部は、前記所定枚数の単位帳票の積み重ね動作を交互に行うように構成された一対のスタッカーを備えていることが好ましい。この場合、各スタッカーは、前記保護部材および前記所定枚数の単位帳票を載置するためのテーブルと、該テーブルを載置位置と搬出位置との間で昇降させるための昇降部と、搬出位置へ向かう前記テーブルから前記保護部材および前記所定枚数の単位帳票を受け取って前記スタッカー部から搬送するための搬送部とを有することが好ましい。
【００１１】
また、本発明の好ましい態様によれば、前記保護部材が最も上側になるように前記スタッカー部で積み重ねられた前記保護部材と前記所定枚数の単位帳票とを一体的に反転させるための反転部をさらに備えていることが好ましい。この場合、前記反転部は、前記スタッカー部で積み重ねられた所定枚数の単位帳票および前記保護部材を上下から挟むように受け入れるためのアーム部と、該アーム部を所定の回転軸線を中心として双方向にほぼ１８０°回転させるための回転部とを備えていることが好ましい。
【００１２】
また、本発明の別の局面によれば、連続帳票から単位帳票を順次切断する切断工程と、
前記切断工程で切断された所定枚数の単位帳票を切断の順序にしたがってその表面が下向きになるように順次積み重ねるスタック工程と、
前記スタック工程で積み重ねられる所定枚数の単位帳票の最も下側の表面を保護するための保護部材を、前記単位帳票の積み重ねに先立ってその積み重ね位置へ供給する供給工程と、
前記保護部材が最も上側になるように前記スタック工程で積み重ねられた前記保護部材と前記所定枚数の単位帳票とを一体的に反転させる反転工程とを含むことを特徴とする処理方法を提供する。
【００１３】
【発明の実施の形態】
本発明では、連続帳票から単位帳票を順次切断し、切断した所定枚数の単位帳票を切断の順序にしたがって順次積み重ねる。この場合、典型的には、各単位帳票の表面が下向きになるように、切断した単位帳票を順次積み重ねる。その結果、積み重ねられた所定枚数の単位帳票から形成される帳票束の最も下側の面は、先頭の単位帳票の表面となる。
【００１４】
そこで、本発明では、帳票束の最も下側の面すなわち先頭の単位帳票の表面を所定の保護部材で覆うために、この保護部材を単位帳票の積み重ねに先立ってその積み重ね位置に供給する。保護部材として、たとえば単位帳票とほぼ同じ大きさを有し且つ単位帳票よりも実質的に剛性の高い板状部材、すなわち厚紙やダンボール紙を用いることができる。こうして、たとえば厚紙のような保護部材の上に表面が下向きの姿勢で下から上へ単位帳票が順次積み重ねられ、最も下側の表面が保護部材によって覆われた帳票束が順次形成される。
【００１５】
以上のように、本発明では、各単位帳票が比較的薄い紙から形成されていても、最も下側の表面が保護部材によって覆われた状態で帳票束が順次形成されるので、各帳票束が搬出または搬送される際に、帳票束の最も下側の面が損傷を受けることなく且つその角が折れ曲がることもない。換言すると、本発明では、連続帳票から順次切断した単位帳票を積み重ねることによって形成される帳票束の所定面が損傷を受けないような形態で各帳票束を形成して搬出することができる。
【００１６】
なお、本発明では、多数の帳票束を連続的に且つ円滑に形成するために、一対のスタッカーを用いて単位帳票の積み重ね動作を交互に行うように構成することが好ましい。
また、各単位帳票の表面が上向きの姿勢になり且つ切断の順序にしたがって各単位帳票が上から下へ向かって積み重ねられた状態で各帳票束を搬出することができるように、保護部材とその上に積み重ねられた所定枚数の単位帳票とを一体的に反転させることが好ましい。
【００１７】
本発明の実施形態を、添付図面に基づいて説明する。
図１は、本発明の実施形態にかかる処理装置の構成を概略的に示す斜視図である。また、図２は、図１に対応する図であって、処理装置の内部構成を模式的に示す図である。
図示の装置は、多数の単位帳票から構成された連続帳票１を供給するための給紙部２と、供給された連続帳票１から単位帳票を順次切断するための切断部３とを備えている。
【００１８】
なお、連続帳票１は、図３に示すように、典型的なコンピュータ出力連続帳票である。すなわち、連続帳票１は、多数の単位帳票３１を一方向（以下、「連続方向」という）に沿って連続させた形態を有する。連続方向に沿って隣接する２つの単位帳票３１の間には、連続方向と直交する方向（以下、「幅方向」という）に沿って折り畳み用兼切断用ミシン目３２が連続帳票の全体に亘って形成されている。
【００１９】
また、連続帳票１には、その幅方向の両側において連続方向に沿って延びる細長いマージナル部３３が形成されている。すなわち、マージナル部３３は、連続帳票の外側エッジ３４と、外側エッジ３４から所定の間隔を隔てて連続方向に沿って延びる切断用ミシン目３５とによって規定される領域である。このマージナル部３３には、多数の搬送用のマージナル孔３６が連続方向に沿って等間隔に形成されている。
【００２０】
連続帳票１は、図２に示すように、その折り畳み用兼切断用ミシン目３２に沿って単位帳票ごとにジグザグ状に折り畳まれた状態で所定の位置にそれぞれ設置されている。所定の位置にそれぞれ設置された連続帳票１は、たとえばマージナル孔３６と係合するように形成された多数のマージナルピンを有する一対の無端状ベルトを処理経路に沿った所定の軌道に沿って駆動する機構により、切断部３に送給される。すなわち、装置のオペレータが連続帳票１の先端部のマージナル孔３６を一対の無端状ベルトのマージナルピンに係合させた後に無端状ベルトを駆動することにより、連続帳票１が切断部３へ連続的に移送される。
【００２１】
なお、切断部３の直前において、一対のスリッタ３ａの作用により、切断用ミシン目３５に沿ってマージナル部３３が連続帳票１から連続的に切り落とされる。切り落とされたマージナル部３３は、マージナル収容部３ｂに収容される。
切断部３では、マージナル部３３が切り落とされた連続帳票１を折り畳み用兼切断用ミシン目３２に沿って順次切断する。切断部３は、具体的には、たとえば低速回転する一対のローラ３ｃと、高速回転する一対のローラ３ｄとを備えている。したがって、切断部３に供給された連続帳票１の先端部は、低速回転ローラ３ｃを介した後に高速回転ローラ３ｄに達する。
【００２２】
このとき、高速回転ローラ３ｄの間隔は広く設定されており、低速回転ローラ３ｃの作用により連続帳票１は移送される。やがて、連続帳票１の折り畳み用兼切断用ミシン目３２が所定の位置に達すると、高速回転ローラ３ｄはその間隔を狭める。その結果、連続帳票１には、低速回転ローラ３ｃと高速回転ローラ３ｄとの移送速度差により連続方向に沿った引張り力が作用する。この状態において、たとえばブレード３ｅによる突出力を連続帳票１の折り畳み用兼切断用ミシン目３２に作用させることにより、連続帳票１は折り畳み用兼切断用ミシン目３２に沿って切断される。
【００２３】
こうして、連続帳票１を折り畳み用兼切断用ミシン目３２に沿って順次切断することによって作成された単位帳票１ａは、厚紙供給部４を介した後、第１スタッカー部５または第２スタッカー部６へ送給される。ここで、第１スタッカー部５または第２スタッカー部６へ送給される各単位帳票１ａは、表面が上向きの姿勢をとっている。第１スタッカー部５または第２スタッカー部６では、単位帳票１ａを反転させた後に、スタックする（積み重ねる）。すなわち、第１スタッカー部５または第２スタッカー部６では、順次送給される単位帳票１ａが切断の順序にしたがって表面が上向きの姿勢で下から上へ向かって積み重ねられる。
【００２４】
図４〜図７は、厚紙供給部、第１スタッカー部および第２スタッカー部の構成および作用を説明する図である。
図４〜図７に示すように、第１スタッカー部５と第２スタッカー部６とは、互いに同じ構成を有し、単位帳票の積み重ね動作を交互に行うように構成されている。ここで、各スタッカー部５および６は、単位帳票１ａを水平方向の処理経路に沿って所定距離だけ移動させた後に反転させる反転機構５ａおよび６ａと、反転された単位帳票１ａが順次積み重ねられるように単位帳票１ａを受け取って載置するためのテーブル５ｂおよび６ｂとを備えている。
【００２５】
また、各スタッカー部５および６は、テーブル５ｂおよび６ｂを載置位置と搬出位置との間で昇降させるための昇降部５ｃおよび６ｃと、搬出位置へ向かって下降するテーブル５ｂおよび６ｂから積み重ねられた単位帳票１ａからなる帳票束（および後述する厚紙）を受け取って各スタッカー部５および６から外部へ搬送するための搬送機構５ｄおよび６ｄとを備えている。なお、反転機構、テーブル、昇降部、および搬送機構についてのさらに詳細な説明は省略する。
【００２６】
一方、厚紙供給部４は、単位帳票１ａとほぼ同じ大きさを有する多数の厚紙４ａを積み重ねた状態で載置するためのテーブル４ｂと、このテーブル４ｂ上に積み重ねられた多数の厚紙４ａのうち最も上側に位置する厚紙をトップフィード方式およびフリクション方式にしたがって各スタッカー部５および６へ送給するための送給機構４ｃとから構成されている。なお、送給機構４ｃでは、トップフィード方式とエアバキューム方式とを組み合わせた給紙方法や、ボトムフィード方式などと組み合わせた適当な給紙方法を採用することもできる。
【００２７】
以下、図４〜図７を参照して、厚紙供給部４、第１スタッカー部５および第２スタッカー部６の基本的な動作について説明する。
図４に示すように、切断部３から順次移送された単位帳票１ａは、第１スタッカー部５の反転機構５ａで反転された後、テーブル５ｂ上の所定位置において表面が下向きの姿勢で下から上に向かって順次積み重ねられる。なお、テーブル５ｂ上への単位帳票１ａの積み重ねに先立って、厚紙供給部４から供給された１枚の厚紙４ａがテーブル５ｂ上の所定位置に予め載置されている。厚紙供給部４からテーブル５ｂおよび６ｂ上への厚紙４ａの具体的な供給動作については、図５および図７を参照してそれぞれ後述する。
【００２８】
テーブル５ｂ上への単位帳票１ａの積み重ね動作の開始に際して、テーブル５ｂは載置位置すなわち高位置に支持されている。さらに詳細には、単位帳票１ａを反転させてテーブル５ｂ上に積み重ねる動作は所定回数に亘って繰り返されるが、昇降部５ｃはこの積み重ね動作に連動してテーブル５ｂを少しずつ下降させる。すなわち、昇降部５ｃは、テーブル５ｂ上に積み重ねられた複数の単位帳票１ａの最も上側の面の高さ位置が実質的に変化しないように、テーブル５ｂの高さ位置を調整する。こうして、テーブル５ｂ上には、表面が下向きの姿勢で下から上に向かって積み重ねられた所定枚数の単位帳票１ａからなる帳票束１ｂが形成される。そして、その帳票束１ｂの下側の面、すなわち先頭の単位帳票１ａの表面は、厚紙４ａで覆われて保護された状態となる。
【００２９】
テーブル５ｂ上への単位帳票１ａの積み重ね動作が終了すると、テーブル５ｂは、昇降部５ｃの作用により、搬送位置すなわち低位置に向かって下降する。この際、図５に示すように、テーブル５ｂ上に載置されていた厚紙４ａと帳票束１ｂとは、搬送機構５ｄによって受け取られ、搬送機構５ｄおよび６ｄの作用によりスタッカー部５および６から外部へ搬送される。一方、厚紙供給部４のテーブル４ｂ上に載置された多数の厚紙のうち最も上側に位置する厚紙４ａが、送給機構４ｃおよび搬送機構５ｄの作用により、テーブル５ｂの上方まで移送される。こうして、昇降部５ｃの作用によりテーブル５ｂが載置位置に向かって上昇すると、テーブル５ｂ上への単位帳票１ａの次の積み重ね動作に先立って、１枚の厚紙４ａがテーブル５ｂ上に予め載置されることになる。
【００３０】
また、第１スタッカー部５におけるテーブル５ｂ上への単位帳票１ａの積み重ね動作が終了すると、図６に示すように、第２スタッカー部６においてテーブル６ｂ上への単位帳票１ａの積み重ね動作が開始される。すなわち、切断部３から順次移送された単位帳票１ａは、第１スタッカー部５を介して、第２スタッカー部６の反転機構６ａで反転された後、１枚の厚紙４ａが予め載置されたテーブル６ｂ上の所定位置において表面が下向きの姿勢で下から上に向かって順次積み重ねられる。こうして、テーブル６ｂ上には、表面が下向きの姿勢で下から上に向かって積み重ねられた所定枚数の単位帳票１ａからなる帳票束１ｂが形成される。そして、その帳票束１ｂの下側の面、すなわち先頭の単位帳票１ａの表面は、厚紙４ａで覆われて保護された状態となる。
【００３１】
テーブル６ｂ上への単位帳票１ａの積み重ね動作が終了すると、図７に示すように、昇降部６ｃの作用によりテーブル６ｂは搬送位置に向かって下降する。そして、テーブル６ｂ上に載置されていた厚紙４ａと帳票束１ｂとは、搬送機構６ｄによって受け取られ、搬送機構６ｄの作用により第２スタッカー部６から外部へ搬送される。一方、厚紙供給部４のテーブル４ｂ上に載置された多数の厚紙のうち最も上側に位置する厚紙４ａが、送給機構４ｃ、並びに搬送機構５ｄおよび６ｄの作用により、テーブル６ｂの上方まで移送される。こうして、昇降部６ｃの作用によりテーブル６ｂが載置位置に向かって上昇すると、テーブル６ｂ上への単位帳票１ａの次の積み重ね動作に先立って、１枚の厚紙４ａがテーブル６ｂ上に予め載置されることになる。
【００３２】
第２スタッカー部６におけるテーブル６ｂ上への単位帳票１ａの積み重ね動作が終了すると、第１スタッカー部５においてテーブル５ｂ上への単位帳票１ａの積み重ね動作が再開される。こうして、第１スタッカー部５における積み重ね動作と第２スタッカー部６における積み重ね動作とが、連続的に、交互に且つ円滑に繰り返される。その結果、第１スタッカー部５および第２スタッカー部６からは、表面が下向きの姿勢で下から上に向かって積み重ねられた所定枚数の単位帳票１ａからなる帳票束１ｂが、その下側の面すなわち先頭の単位帳票１ａの表面が厚紙４ａで覆われて保護された状態で順次出力される。第１スタッカー部５および第２スタッカー部６から順次出力された厚紙４ａと帳票束１ｂとは、反転搬出部７へ移送される。
【００３３】
図８は、反転搬出部の構成および作用を説明する図である。
図８に示すように、反転搬出部７は、第１スタッカー部５および第２スタッカー部６から順次出力された厚紙４ａと帳票束１ｂとを水平方向の処理経路に沿って搬送するための第１搬送機構７ａおよび第２搬送機構７ｂと、各単位帳票１ａの表面が上向きの姿勢になり且つ切断の順序にしたがって各単位帳票１ａが上から下へ向かって積み重ねられた状態になるように厚紙４ａと帳票束１ｂとを一体的に反転させるための反転機構７ｃとから構成されている。
【００３４】
ここで、反転機構７ｂは、第１搬送機構７ａと第２搬送機構７ｂとの間に設けられ、第１搬送機構７ａの作用によって搬送される厚紙４ａと帳票束１ｂとを上下から挟むように受け入れるためのアーム部７ｄと、このアーム部７ｄを所定の回転軸７ｅを中心として双方向にほぼ１８０°回転させるための回転部７ｆとから構成されている。なお、回転軸７ｅは、帳票束１ｂの搬送方向と直交する水平方向すなわち図８（ｂ）の紙面に垂直な方向に沿って延びている。
【００３５】
さらに詳細には、図８（ａ）に示すように、第１搬送機構７ａおよび第２搬送機構７ｂは、搬送方向と直交する水平方向に沿って間隔を隔てて配置された複数のコンベア（図８では５組のコンベア）からなる。そして、アーム部７ｄは、複数のコンベアの間でその長手方向に沿って回転するように位置決めされた複数対のアーム（図８では４対のアーム）を備えている。
【００３６】
したがって、反転搬出部７では、表面が下向きの姿勢で下から上に向かって積み重ねられた所定枚数の単位帳票１ａからなる帳票束１ｂが、その下側の面を覆う厚紙４ａと一体的に１８０度だけ反転される。そして、表面が上向きの姿勢で上から下へ向かって各単位帳票が切断の順序にしたがって積み重ねられた自然な状態で、帳票束１ｂがその上側の面、すなわち先頭の単位帳票１ａの表面を覆う厚紙４ａとともに一体的に搬出される。
【００３７】
以上のように、本実施形態では、各単位帳票１ａが比較的薄い紙から形成されていても、保護部材としての厚紙４ａによって最も下側の表面が覆われた状態で帳票束１ｂが順次形成される。したがって、各帳票束１ｂが処理装置から搬出される際に、または各帳票束１ｂが他の処理装置へ搬送される際に、帳票束１ｂの最も下側の面すなわち先頭の単位帳票１ａの表面が実質的に損傷を受けることなく且つその角が折れ曲がることもない。換言すると、本実施形態では、連続帳票１から順次切断した単位帳票１ａを積み重ねることによって形成される帳票束１ｂの表面が損傷を受けないような形態で各帳票束を形成して搬出することができる。
【００３８】
なお、本実施形態では、保護部材として厚紙を用いているが、たとえばダンボール紙やプラスチックプレートなどを含む他の適当な板状部材を用いることもできる。この場合、板状部材は、単位帳票とほぼ同じ大きさを有し且つ単位帳票よりも実質的に高い剛性を有することが好ましい。あるいは、保護部材として、たとえばトレイ状部材を用いることもできるし、トレイ状部材と板状部材とを併用することもできる。
【００３９】
また、本実施形態では、帳票束の一方の面だけを厚紙で保護しているが、帳票束の双方の面をダンボール紙やプラスチックプレートなどを含む適当な板状部材で保護することもできる。
さらに、本実施形態では、一対のスタッカー部を交互に動作させているが、スタッカー部の数および形態はこれに限定されることなく、たとえば単一のスタッカー部だけで構成することもできる。
【００４０】
また、上述の実施形態では、連続帳票から単位帳票を順次切り離すための切断部として、一対の低速ローラーと一対の高速ローラーとからなるディタッチャー（裁断装置）を用いているが、たとえばカッターのような他の適当な切断手段を用いることもできる。
【００４１】
【発明の効果】
以上説明したように、本発明の連続帳票の処理装置および処理方法では、連続帳票から順次切断した単位帳票を積み重ねることによって形成される帳票束の所定面が損傷を受けないような形態で各帳票束を形成して搬出することができる。
【図面の簡単な説明】
【図１】本発明の実施形態にかかる処理装置の構成を概略的に示す斜視図である。
【図２】図１に対応する図であって、処理装置の内部構成を模式的に示す図である。
【図３】連続帳票の構成を概略的に示す図である。
【図４】厚紙供給部、第１スタッカー部および第２スタッカー部の構成および作用を説明する図である。
【図５】厚紙供給部、第１スタッカー部および第２スタッカー部の構成および作用を説明する図である。
【図６】厚紙供給部、第１スタッカー部および第２スタッカー部の構成および作用を説明する図である。
【図７】厚紙供給部、第１スタッカー部および第２スタッカー部の構成および作用を説明する図である。
【図８】反転搬出部の構成および作用を説明する図である。
【符号の説明】
１  連続帳票
１ａ  単位帳票
２  給紙部
３  切断部
３ａ  スリッタ
３ｂ  マージナル収容部
３ｃ  低速回転ローラ
３ｄ  高速回転ローラ
３ｅ  ブレード
４  厚紙供給部
４ａ  厚紙
４ｂ  テーブル
４ｃ  送給機構
５  第１スタッカー部
６  第２スタッカー部
５ａ、６ａ  反転機構
５ｂ、６ｂ  テーブル
５ｃ、６ｃ  昇降部
５ｄ、６ｄ  搬送機構
７  反転搬出部
７ａ  第１搬送機構
７ｂ  第２搬送機構
７ｃ  反転機構
７ｄ  アーム部
７ｆ  回転部
【図１】
0004242029.tif 000002
【図２】
0004242029.tif 000003
【図３】
0004242029.tif 000004
【図４】
0004242029.tif 000005
【図５】
0004242029.tif 000006
【図６】
0004242029.tif 000007
【図７】
0004242029.tif 000008
【図８】
0004242029.tif 000009